(57)【要約】      （修正有）【課題】インバーター動作時にパワーモジュールで発生するスイッチングノイズを効果的に低コストで低減することができるコンデンサモジュールの回路構成方法を提供する。【解決手段】インバーターでスイッチングノイズを抑制するためのＹコンデンサを含むコンデンサモジュールの回路構成方法において、ａ）Ｙコンデンサで実際の電圧または電流波形を測定する段階と、ｂ）前記電圧波形または電流波形を周波数帯域によってフィルタリングして独立した細部周波数成分を抽出及び分離した後、分離された各周波数成分別に並列の等価回路を構成する段階と、ｃ）前記並列の等価回路で各素子の値を段階的に変更しながら、各変更過程で得られるシミュレーション波形を実際に測定された前記電圧波形または電流波形と比較して各素子の値を最終選定する段階と、ｄ）選定された容量のＹコンデンサを使用して実際のコンデンサモジュールを構成する段階と、を含む。【選択図】図４
2011091988.tif 000002
【特許請求の範囲】
【請求項１】
電気自動車の駆動モータを駆動させるためのインバーターでスイッチングノイズを抑制するためのＹコンデンサを含むコンデンサモジュールの回路構成方法において、
ａ）前記Ｙコンデンサの容量を予備選定してコンデンサモジュールを構成した後、Ｙコンデンサで実際の電圧または電流波形を測定する段階と、
ｂ）前記電圧波形または電流波形を周波数帯域によってフィルタリングして独立した細部周波数成分を抽出及び分離した後、分離された各周波数成分別にインピーダンス抵抗及びインダクター、コンデンサが組み合わされた並列の等価回路を構成する段階と、
ｃ）前記並列の等価回路で各素子の値（抵抗値／インダクター／コンデンサの容量）を段階的に変更しながら、各変更過程で得られるシミュレーション波形を実際に測定された前記電圧波形または電流波形と比較して各素子の値を最終選定する段階と、
ｄ）最終選定された素子の値によりコンデンサモジュールの最終的な並列のインピーダンス等価回路が完成すると、選定された容量のＹコンデンサを使用して実際のコンデンサモジュールを構成する段階と、
を含むことを特徴とするインバーターコンデンサモジュールの回路構成方法。
【請求項２】
前記ｄ）段階で、最終的に完成したインピーダンス等価回路に従って抵抗とインダクターのうち１種以上の素子で構成されるダンピングインピーダンス回路を内部に挿入して、前記コンデンサモジュールを構成することを特徴とする請求項１記載のインバーターコンデンサモジュールの回路構成方法。
【請求項３】
前記ｂ）段階で、特定周波数帯域の成分のみを通過させる帯域通過フィルターを利用して周波数成分別に抽出及び分離することを特徴とする請求項１記載のインバーターコンデンサモジュールの回路構成方法。
【請求項４】
前記ｃ）段階で、前記シミュレーション波形は素子の値が変形された各可変段階で並列の等価回路から得ることができる電圧波形または電流波形であり、実際に測定された電圧波形または電流波形と同一のシミュレーション波形が得られた等価回路上の素子値が選定されることを特徴とする請求項１記載のインバーターコンデンサモジュールの回路構成方法。
【発明の詳細な説明】
【技術分野】
【０００１】
本発明はインバーターコンデンサモジュールの回路構成方法に係り、更に詳しくは、電気自動車の駆動モータを駆動させるためのインバーターにおけるインピーダンス整合法を利用したインバーターコンデンサモジュールの回路構成方法に関する。
【背景技術】
【０００２】
ハイブリッド車両は互いに異なる２種以上の動力源を効率的に組み合わせて車両を駆動させるもので、殆どの場合は、燃料（ガソリンなどの化石燃料）を燃焼させて回転力を得るエンジン（内燃機関）とバッテリー電力で回転力を得る電気モータにより駆動する車両を意味し、これを通常ハイブリッド電気車両（ＨＥＶ）と呼んでいる。
【０００３】
ハイブリッド車両は電気モータ（駆動モータ）の動力のみを利用するＥＶモード、エンジンの回転力を主動力としながら、駆動モータの回転力を補助動力として利用するＨＥＶモード、車両の制動もしくは慣性による走行時、制動及び慣性エネルギーを駆動モータの発電を通して回収してバッテリーに充電する回生制動（ＲＢ）モードなどで走行する。
【０００４】
ハイブリッド車両で駆動モータを駆動するためには、車両運行中に充放電を反復しながら駆動モータの駆動に必要な電力を供給するためのバッテリー（高電圧バッテリー）と、バッテリーの電力にて駆動モータを回転させるためのインバーターを具備している。
バッテリーは必要電力を供給しながら回生制動時には駆動モータにより生成された電力の供給を受けて充電され、インバーターはバッテリーから供給される電源を相変換させて駆動モータを駆動させる。
特に、インバーターは駆動モータの駆動及びバッテリーの充電のための電力変換装置として、バッテリーの電力を変換して動力補助のためのモータ駆動を行い、回生制動時に電力を変換してバッテリーに充電させる機能を果たす。
【０００５】
図１は通常のハイブリッド車両でバッテリー１、インバーター、駆動モータ２の連結関係を示した概略図である。インバーターは電磁波性能及びバッテリー耐久性能と関係する複数のコンデンサＣからなるコンデンサモジュール１１、電力変換のためのスイッチング素子（ＩＧＢＴ）Ｓとダイオード（ｆｒｅｅ  ｗｈｅｅｌｉｎｇ  ｄｉｏｄｅ、ＦＷＤ）Ｄからなるパワーモジュール１２、モータトルク及び速度制御のための制御部（図示せず）、そして制御に必要なＵ相、Ｖ相、Ｗ相の３相電流を測定するための電流センサー１３を含む。
【０００６】
一方、最近、電力変換スイッチング素子の技術が発展して阻止のオン、オフスイッチング速度が速くなり、駆動モータと合せてインバーターが固定ブラケットを通して車両シャーシにマウントされるため、インバーターが動作するときはスイッチングノイズが車両全体に拡散しながら車両制御ユニットに悪影響を及ぼし、更には車両ラジオ受信性能まで悪化させるため、ノイズ低減のための多様な方法が研究されている。
【０００７】
インバーターで発生するスイッチングノイズはインバーターの固定ブラケットを通して、そして駆動モータを通して車両シャーシに伝達される。
従来のインバーターの電磁波スイッチングノイズの低減技術は、インバーターのコンデンサモジュールでＹコンデンサの中性点を車両シャーシに連結してスイッチングノイズを抑制させる方法を利用している。
インバーターにＹコンデンサを使用する先行技術として、特開２００２−７８３５２号にはコモンモードのノイズを低減するために、Ｙコンデンサを使用するインバーター装置の保護方法が開示されている。特開２００１−４５７６７号にはＹコンデンサの交流中性点から変圧器の２次側巻線を介して相殺電流を流して漏洩電流を低減したインバーター装置が開示されている。更に、米国特許第７，５６１，３８９号にはＹコンデンサを使用してノイズを低減させた電圧出力装置が開示されている。
【０００８】
図２はインバーターで平滑コンデンサＣ３及びＹコンデンサＣ１，Ｃ２からなるコンデンサモジュール１１を示したもので、スイッチングノイズソースとなるパワーモジュール１２も示している。
スイッチングノイズを抑制するためにＹコンデンサＣ１，Ｃ２を使用するインバーターにおいて、図２を参照してコンデンサモジュール１１の役割について説明する。
【０００９】
まず、コンデンサモジュール１１は、インバーターのスイッチング時に発生する高電力リップル電流を吸収（ｄｉｆｆｅｒｅｎｔｉａｌ  ｍｏｄｅ  ｎｏｉｓｅ  ｓｕｐｐｒｅｓｓｉｏｎ）してインバーターＤＣ入力端の急激な電圧、電流変動を抑制する平滑作用を行う。
もう一つはコモンモードのノイズを抑制する役割を行い、その機能はモジュール１１内部のＹコンデンサ（平滑コンデンサと並列に連結された２個のＹコンデンサ）Ｃ１，Ｃ２が行う。
平滑コンデンサＣ３が吸収するリップル電流は５０Ａｒｍｓ以上の高電流であり、平滑コンデンサ内部で自体発熱により消尽される成分であり、車両シャーシとは電気的に絶縁されている。
【００１０】
反面、インバータースイッチング時に発生してコンデンサモジュール１１内部のＹコンデンサＣ１，Ｃ２に流れるスイッチングノイズ成分の電流は１ｍＡ以下の極少量であるが、高周波成分を含んでいるため、インバーター及び車両電磁波性能に決定的な影響を及ぼす。通常は、Ｙコンデンサの容量を変化させたサンプルを製作して電磁波性能が優れた容量値にて仕様を選定している。
しかし、ＹコンデンサＣ１，Ｃ２の中性点を車両シャーシに連結してスイッチングノイズを抑制させる方法では次のような問題点がある。
【００１１】
１）ＹコンデンサＣ１，Ｃ２の容量選定時、解釈及び予測による容量選定ではない実験的な仕様選定が行われる。従って、仕様選定による人力及び時間の損失が過多であり、サンプル製作費用が過多であるという問題点がある。
２）インバーター動作時、パワーモジュール１２で発生するスイッチングノイズが駆動モータ２側にも流出し、駆動モータ２に流出したスイッチングノイズが車両シャーシに伝達されてスイッチングノイズの問題が発生しているが、現在、駆動モータ２側に流出するスイッチングノイズについては対策がないという実情である。
【先行技術文献】
【特許文献】
【００１２】
【特許文献１】特開２００２−７８３５２号
【特許文献２】特開２００１−４５７６７号
【特許文献３】米国特許第７，５６１，３８９号
【発明の概要】
【発明が解決しようとする課題】
【００１３】
本発明は前記のような問題点を解決するためになされたものであって、本発明の目的は、駆動モータを駆動させるためのインバーターのコンデンサモジュールを構成する方法において、インバーター動作時にパワーモジュールで発生するスイッチングノイズを効果的に低減することができ、特に、素子の仕様選定のために試験を通した従来の電磁波性能の検証方式が多大のサンプル製作費及び人力などを要する問題を改善できるコンデンサモジュールの回路構成方法を提供することにある。
【課題を解決するための手段】
【００１４】
前記目的を達成するために、本発明は、電気自動車の駆動モータを駆動させるためのインバーターでスイッチングノイズを抑制するためのＹコンデンサを含むコンデンサモジュールの回路構成方法において、ａ）前記Ｙコンデンサの容量を予備選定してコンデンサモジュールを構成した後、Ｙコンデンサで実際の電圧または電流波形を測定する段階と、ｂ）前記電圧波形または電流波形を周波数帯域によってフィルタリングして独立した細部周波数成分を抽出及び分離した後、分離された各周波数成分別にインピーダンス抵抗及びインダクター、コンデンサが組み合わされた並列の等価回路を構成する段階と、ｃ）前記並列の等価回路で各素子の値（抵抗値／インダクター／コンデンサの容量）を段階的に変更しながら、各変更過程で得られるシミュレーション波形を実際に測定された前記電圧波形または電流波形と比較して各素子の値を最終選定する段階と、ｄ）最終選定された素子の値によりコンデンサモジュールの最終的な並列のインピーダンス等価回路が完成すると、選定された容量のＹコンデンサを使用して実際のコンデンサモジュールを構成する段階と、を含むことを特徴とする。
【００１５】
前記ｄ）段階で、最終的に完成したインピーダンス等価回路に従って抵抗とインダクターのうち１種以上の素子で構成されるダンピングインピーダンス回路を内部に挿入して、前記コンデンサモジュールを構成することを特徴とする。
【００１６】
前記ｂ）段階で、特定周波数帯域の成分のみを通過させる帯域通過フィルターを利用して周波数成分別に抽出及び分離することを特徴とする。
【００１７】
前記ｃ）段階で、前記シミュレーション波形は素子の値が変形された各可変段階で並列の等価回路から得ることができる電圧波形または電流波形であり、実際に測定された電圧波形または電流波形と同一のシミュレーション波形が得られた等価回路上の素子値が選定されることを特徴とする。
【発明の効果】
【００１８】
本発明のコンデンサモジュールの回路構成方法によると、インバーターの動作時、パワーモジュールで発生するスイッチングノイズを効果的に低減することができ、特に、素子の仕様選定のために試験を通した従来の電磁波性能検証方式が多大のサンプル製作費及び人力などを必要とする問題点を改善することができる効果がある。
更に、電磁波ノイズのソースであるインバータースイッチングノイズに関し、従来はＹコンデンサを通して流れる電流、電圧の大きさのみを減少させるという限界があったが、本発明ではノイズ成分の分析を通してダンピングインピーダンスまで解釈して回路構成に反映するため、ノイズの大きさだけでなく周波数の制御まで可能であるという利点がある。
【図面の簡単な説明】
【００１９】
【図１】通常のハイブリッド車両においてバッテリー、インバーター、駆動モータの連結関係を示した概略図である。
【図２】平滑コンデンサ及びＹコンデンサからなるインバーターのコンデンサモジュールを図示した構成図である。
【図３】本発明による回路構成方法を説明するための図面である。
【図４】本発明による回路構成方法を表す順序図である。
【図５】従来のコンデンサモジュールの構造と本発明によるコンデンサモジュールの構造を比較して表したものである。
【発明を実施するための最良の形態】
【００２０】
以下、添付した図面を参照して本発明の実施例について詳しく説明する。
本発明はハイブリッド車両のような環境に優しい電気自動車の駆動モータを駆動させるためのインバーターの回路を構成する方法に係り、詳しくは、インバーターの電磁波ノイズ、即ち、インバーターの動作時にパワーモジュールで発生するスイッチングノイズを抑制するためのＹコンデンサを含むコンデンサモジュールの回路を構成する方法に関するものである。
特に、本発明の回路構成方法は、インバーターで発生するスイッチングノイズをより効果的に低減することができるコンデンサモジュール回路を構成することができ、併せて、素子の仕様選定のために試験を通した従来の電磁波性能検証方式において、多大のサンプル製作費及び人力などよ要した問題点を改善することができる方法を提供するものである。
【００２１】
このために、本発明の回路構成方法では、スイッチングノイズを低減するためのＹコンデンサなどのコンデンサモジュールを構成する素子の容量及び仕様選定時、従来の実験的方式を利用することに伴う問題点、即ち、多大なサンプル製作費及び人力を要する問題点を解決するために、シミュレーション解釈及び予測技法に素子の最適容量の選定が利用され、特に、解釈及び予測過程でスイッチングノイズ（電磁波ノイズ）の低減のためのインピーダンス整合法が利用される。
【００２２】
図４は本発明による回路構成方法を示す順序図であり、図５は従来のコンデンサモジュール構造と本発明によるコンデンサモジュール構造を比較して表したものである。
図３はインバーター内のコンデンサモジュール１１の構成と合せて、本発明による解釈過程でスイッチングノイズの周波数成分別に求められた等価回路及びダンピングインピーダンスの構成を表している。
【００２３】
インバーター動作時、スイッチング素子（ＩＧＢＴ）ＳとダイオードＤの組み合わせからなるパワーモジュール１２で発生するスイッチングノイズを低減させるために、ＹコンデンサＣ１，Ｃ２の中性点を車両シャーシに連結する方式が適用される。本発明でも最終的にはＹコンデンサＣ１，Ｃ２の最適容量及び仕様選定を目標とするが、従来の実験を通したＹコンデンサの容量及び仕様選定（Ｙコンデンサの容量を異にして多数のコンデンサモジュールサンプルの製作及び実験を通して選定）方式ではない、シミュレーションを通した解釈及び予測の方法を通して所要費用及び人力を減らすと同時に、更に簡便にＹコンデンサの容量及び仕様を選定する。
【００２４】
更に、本発明では、ＹコンデンサＣ１，Ｃ２の容量（コンデンサ値）だけでなくダンピングインピーダンスまで解釈及びシミュレーションをして、ＹコンデンサＣ１，Ｃ２の容量の選定と合せて、必要時、ダンピング抵抗Ｒ及びインダクターＬなどを組み合わせたダンピングインピーダンス回路（図５で‘Ｚ’で示す）を追加するが、シミュレーションを通して選定されたＹコンデンサの容量を考慮して最適なダンピングインピーダンス回路Ｚを構成する。
即ち、選定されたコンデンサ値（コンデンサＣ１，Ｃ２値）を考慮してダンピング抵抗とインダクターのうち必要な素子を組み合わせたダンピングインピーダンス回路Ｚを追加し、このとき抵抗とインダクター素子値、即ち、抵抗値及びインダクタンスはシミュレーション過程でＹコンデンサＣ１，Ｃ２の容量と共に選定される。
【００２５】
インバーター動作時、パワーモジュール１２で発生したスイッチングノイズがコンデンサモジュール１１のＹコンデンサＣ１，Ｃ２を通して車両シャーシに拡散するとき、前記Ｙコンデンサにスイッチング電流が微小であるが流れるが、この電流には高調波周波数ノイズが重畳されている。
従って、高調波周波数ノイズが重畳されることを考慮して、本発明ではＹコンデンサで実測された電流または電圧波形に対して独立的な細部周波数成分を抽出した後、そこから並列の等価回路を構成するが、この価値でダンピング抵抗成分を回路に更に反映及び可変してスイッチングノイズ電流が最小化され得るダンピング抵抗値を探し出す。
【００２６】
以下に、このような本発明の過程を図３及び図４を参照して段階別に説明する。
まず、［Ｓｔｅｐ１］では、ＹコンデンサＣ１，Ｃ２の容量を予備選定して図３に示したコンデンサモジュール１１を構成した後、予備選定されたＹコンデンサＣ１，Ｃ２で実際の電圧または電流波形を測定する。このとき、コンデンサ値を可変させない固定されたＹコンデンサＣ１，Ｃ２の仕様で実際の電圧の波形または電流の波形を測定したり、電圧及び電流の実際の波形全てを測定して使用することができる。
【００２７】
次に、［Ｓｔｅｐ２］では、実測された電圧、電流波形に対して周波数成分別に抽出及び分離する過程を実施する。このとき、周波数のフィルタリング及び共振周波数の分析が実施されるが、実測された電圧、電流波形を周波数帯域によってフィルタリングし独立した細部周波数成分を抽出及び分離する。このために、特定周波数帯域の成分のみを通過させるフィルター、例えば、ＦＦＴ（ｆａｓｔ  ｆｏｕｒｉｅｒ  ｔｒａｎｓｆｏｒｍ）帯域通過（ｂａｎｄ−ｐａｓｓ）フィルターを利用して周波数成分別に抽出及び分離することが可能である。
図４には実測された電流測定波形から抽出及び分離された細部周波数成分であるｆｃ１、ｆｃ２、ｆｃ３の例を示した。前記のように周波数成分別の分離が行われれば、図３に示すように、分離された各周波数成分別に抵抗Ｒ１，Ｒ２，Ｒ３、インダクターＬ１，Ｌ２，Ｌ３、コンデンサＣ１，Ｃ２，Ｃ３、ダンピングインピーダンス抵抗Ｒｄが組み合わされた並列の等価回路が構成される。
【００２８】
次に、［Ｓｔｅｐ３］では、ダンピングインピーダンスの解釈及びシミュレーションを進行する。［Ｓｔｅｐ２］で構成された並列の等価回路上で各素子の値、即ち、抵抗値Ｒ１，Ｒ２，Ｒ３，Ｒｄ値とインダクタンスＬ１，Ｌ２，Ｌ３値を変更する方式によりインピーダンスを変化させながらシミュレーションをするが、各変化段階で得られたシミュレーション波形を［Ｓｔｅｐ１］で得た実測電圧波形または電流波形と比較して、各素子の最適仕様を選定する。
【００２９】
このとき、シミュレーション波形は、シミュレーション時に特定の抵抗値とインダクタンスとして選定された素子（Ｒ１〜Ｒ３，Ｒｄ，Ｌ１〜Ｌ３）の並列等価回路から得ることができる電圧波形または電流波形である。このようなシミュレーション波形を実測波形と比較するが、等価回路上の素子値（抵抗値及びインダクタンス値）を変化させながら段階的に比較して、実測波形と最大限同一のシミュレーション波形を最終的に獲得し、最終のシミュレーション波形が得られた等価回路上の素子値を最終的に選定する。
そして、［Ｓｔｅｐ４］で最終選定された素子値が反映されたコンデンサモジュールの等価回路が完成される。
【００３０】
前述した［Ｓｔｅｐ３］と［Ｓｔｅｐ４］の過程で、実測波形と最大限同一のシミュレーション波形を得るために、前述したとおり、シミュレーション回路（並列等価回路）上の抵抗値またはインダクタンス値を変更して最終の等価回路を完成する。このときＹコンデンサＣ１，Ｃ２の容量（コンデンサＣ１，Ｃ２値）もやはり変化させてシミュレーションすることができる。
結局、［Ｓｔｅｐ３］と［Ｓｔｅｐ４］の過程を通して最終の等価回路が完成すると、これを基にして実際のコンデンサモジュールの単品が製作される。
【００３１】
前述した本発明の過程において、［Ｓｔｅｐ１］段階で構成された実際のコンデンサモジュール１１のＹコンデンサの容量値、即ち、Ｃ１、Ｃ２のコンデンサ値は設計者が既に分かっている値であり、分かっていない値はコンデンサモジュールシステムのインピーダンス値、即ち、抵抗値とインピーダンス値である。
この分かっていない値を探し出すために実際の電圧、電流波形を測定し、シミュレーション回路（並列等価回路）を構成した後、シミュレーション回路上の抵抗値とインピーダンス値を調整して、実際の波形と最大限同一のシミュレーション波形を得ることができるシミュレーション回路内の素子値を選定する。
【００３２】
前記のように実際のシステムを模写したシミュレーション回路の構成が完成すると、シミュレーション過程でインピーダンスを反映して選定されたＹコンデンサの容量を使用して実際のコンデンサモジュールの単品を製作する。設計者はノイズの最小化及び電磁波性能の改善のために解釈及び予測シミュレーションを通して選定された素子値の抵抗、インダクターを組み合わせて構成したダンピングインピーダンス回路Ｚを追加することで、実際のコンデンサモジュール単品を製作する。
【００３３】
前記シミュレーション過程で、ＹコンデンサＣ１，Ｃ２の容量（コンデンサＣ１，Ｃ２値）が変形されて最終のコンデンサ仕様が選定されると、変形された容量のＹコンデンサＣ１，Ｃ２を使用してコンデンサモジュール１１が製作されるが、ダンピングインピーダンス回路Ｚを構成する抵抗、インダクターの場合、ＹコンデンサＣ１，Ｃ２の選定された容量値が考慮された素子値が選定されてダンピングインピーダンス回路が構成される。
このとき、ダンピングインピーダンス回路Ｚは、抵抗またはインダクターを使用したり、抵抗とインダクターを全て使用して構成される。
【００３４】
このように本発明は、コンデンサモジュール１１の構成において、試験を通した電磁波性能検証の仕様選定方式ではない、インピーダンス製合法、即ち、実際の測定波形から独立的な細部周波数成分を抽出して並列等価回路を構成した後、並列等価回路のインピーダンスを可変させて実際の測定波形と同一なシミュレーション波形を探し出す方法を利用してコンデンサ及び抵抗、インダクタンス値を選定することに主なる特徴がある。スイッチングノイズの電流が最小化され得るダンピングインピーダンス回路Ｚが追加されることで、より改善された電磁波性能及びノイズ低減性能を得ることができると同時に、より容易にＹコンデンサＣ１，Ｃ２の容量を選定することができる。
【００３５】
図５に示す通り、従来の場合、（ａ）電磁波性能の改善のためのコンデンサモジュール１１の構成時にコンデンサＣ１，Ｃ２値のみ選定する水準であるため、スイッチングノイズの大きさのみ減少させるという限界があり、コンデンサＣ１，Ｃ２値の選定時、多数のサンプルを製作して実験的に選定しなければならないため、多大の人力及び製作費を要していた。
本発明の場合、（ｂ）電磁波性能の改善のためのコンデンサモジュール１１の構成時、コンデンサＣ１，Ｃ２値だけでなくダンピングインピーダンスまで解釈及びシミュレーションをした後、その結果を基にしてコンデンサモジュール１１の内部にダンピングインピーダンス回路Ｚを挿入、構成する。これを以って、ノイズの大きさを低減させるだけでなく周波数の調節も可能となる。
このようなノイズの大きさ及び周波数の調節は、回路の時定数、即ち、コンデンサモジュール１１を構成するＹコンデンサＣ１，Ｃ２の容量、そしてダンピングインピーダンス回路Ｚ内の素子（抵抗、インダクターなど）の構成及び配置、各素子の値（抵抗値、インダクタンス）の調整を通して可能となる。
【００３６】
このようにハイブリッド車両などの電気自動車における電磁波ノイズのソースであるインバータースイッチングノイズの改善については、従来はＹコンデンサを介して流れる電流、電圧の大きさのみ減少させるという限界があったが、本発明ではノイズの大きさだけでなく、ノイズ成分の分析を通して周波数の調節まで可能であるという利点を持つ。
更に、本発明では、素子の選定のためにシミュレーションを通した解釈及び予測技法が適用されるため、多大のサンプルの製作費及び人力を要するような従来の問題点を改善することができる。
【００３７】
以上、本発明に関する好ましい実施例を説明したが、本発明は前記実施例に限定されず、本発明の属する技術範囲を逸脱しない範囲での全ての変更が含まれる。
【符号の説明】
【００３８】
１  バッテリー
２  駆動モータ
１１  コンデンサモジュール
１２  パワーモジュール
【図１】
2011091988.tif 000003
【図２】
2011091988.tif 000004
【図３】
2011091988.tif 000005
【図４】
2011091988.tif 000006
【図５】
2011091988.tif 000007